(57)【要約】【課題】時刻および機能の両視認性を満足し、かつ、時計総厚の増加等に起因するデザイン上の制約を回避できる時計ならびに時計用指針と時計用指針による表示方法を提供する。【解決手段】機能表示部１５を文字板１６上に表示させ、機能指示部１４を軸取り付け部１７を基点として時刻指示部１１と水平方向に対向させることで、時刻表示と機能表示の区別を明確にすることができ、視認性が非常に優れる。また、副針を使用しないため、時計総厚の増加に起因する、デザイン上の制約も回避できる。【選択図】      図１
2004226350.tif 000002
【特許請求の範囲】
【請求項１】
文字板上を時計用指針が運針して時刻を表示する時計において、軸取り付け部を基点として一方に時刻指示部を、水平方向に対向する他方に機能指示部を設けた時計用指針を少なくとも１本有することを特徴とする時計。
【請求項２】
前記時計用指針の前記軸取り付け部を基点とした長手方向の長さは、機能指示部が時刻指示部よりも短いことを特徴とする請求項１に記載の時計。
【請求項３】
文字板または風防ガラスに表示された機能表示部を前記機能指示部で指示することを特徴とする請求項１または２に記載の時計。
【請求項４】
文字板または風防ガラスに表示された機能表示部は、時計に配設されたアンテナで受信した時刻修正電波を表示する電波受信感度表示部であり、前記電波受信感度表示部を前記機能指示部で指示することを特徴とする請求項１から３のいずれか１つに記載の時計。
【請求項５】
文字板または風防ガラスに表示された機能表示部は、電源の残量状態を表示する電源残量表示部であり、前記電源残量表示部を前記機能指示部で指示することを特徴とする請求項１から３のいずれか１つに記載の時計。
【請求項６】
文字板上を時計用指針が運針して時刻を表示する時計において、軸取り付け部を基点として一方に時刻指示部を、水平方向に対向する他方に機能指示部を設けたことを特徴とする時計用指針。
【請求項７】
前記軸取り付け部を基点とした長手方向の長さは、機能指示部が時刻指示部よりも短いことを特徴とする請求項６に記載の時計用指針。
【請求項８】
文字板または風防ガラスに表示された機能表示部を前記機能指示部で指示することを特徴とする請求項６または７に記載の時計用指針。
【請求項９】
文字板または風防ガラスに表示された機能表示部は、時計に配設されたアンテナで受信した時刻修正電波を表示する電波受信感度表示部であり、前記電波受信感度表示部を前記機能指示部で指示することを特徴とする請求項６から８のいずれか１つに記載の時計用指針。
【請求項１０】
文字板または風防ガラスに表示された機能表示部は、電源の残量状態を表示する電源残量表示部であり、前記電源残量表示部を前記機能指示部で指示することを特徴とする請求項６から８のいずれか１つに記載の時計用指針。
【請求項１１】
文字板上を時計用指針が運針して時刻を表示する時計用指針による表示方法において、軸取り付け部を基点として一方に設けた時刻指示部で時刻表示部を指示し、前記時刻指示部と水平方向に対向する他方に設けた機能指示部で文字板または風防ガラスに表示した機能表示部を指示することを特徴とする時計用指針による表示方法。
【請求項１２】
文字板または風防ガラスに表示された前記機能表示部を、前記軸取り付け部を基点とした長手方向の長さが時刻指示部よりも短い機能指示部で指示することを特徴とする請求項１１に記載の時計用指針による表示方法。
【請求項１３】
文字板または風防ガラスに表示された機能表示部は、時計に配設されたアンテナで受信した時刻修正電波を表示する電波受信感度表示部であり、前記電波受信感度表示部を前記機能指示部で指示することを特徴とする請求項１１または１２に記載の時計用指針による表示方法。
【請求項１４】
文字板または風防ガラスに表示された機能表示部は、電源の残量状態を表示する電源残量表示部であり、前記電源残量表示部を前記機能指示部で指示することを特徴とする請求項１１または１２に記載の時計用指針による表示方法。
【発明の詳細な説明】
【０００１】
【発明の属する技術分野】
本発明は、時計において、特に文字板上を時計用指針が運針して、時刻と共に時刻とは別の機能を表示する時計ならびに時計用指針と時計用指針による表示方法に関する。
【０００２】
【従来の技術】
従来の時計において、時刻とは別の機能表示を行う場合、文字板内に配設した小文字板を機能表示部とし、前記小文字板内に時計用指針とは別に副針を機能指示部として設け、副針により小文字板を指示することで機能表示を行っていた（例えば、特許文献１参照）。
【０００３】
また、時計用指針に設けた時刻指示部が機能指示部を兼任し、レジスターリング上に表示された機能表示部を指示することで機能表示を行うものもあった（例えば、特許文献２参照）。
【０００４】
以下に、従来の技術について図を用いて説明する。図４、図５はそれぞれ時計用指針を組み込んだ従来の時計の一部を示す正面図である。
【０００５】
（従来例１）
図４は文字板３６上に機能表示部３４を別途小文字板として配設し、機能指示部３５を副針として前記機能表示部３４を指示したものである。３１から３３は時計用指針であり、３１は時刻指示部で秒を、３２は時刻指示部で分を、３３は時刻指示部で時を表す。
【０００６】
時刻指示部３１から３３は軸取り付け部３８の同軸上に取り付けられており、それぞれが連動して文字板３６上の外周に表示された時刻表示部３７ａから３７ｄ等を指示して時刻表示を行っている。
【０００７】
機能表示部３４にはＬ、Ｍ、Ｈ、ＲＸ、ＮＯの記載があるが、これらは時計に配設されているアンテナ（図示せず）から時刻修正電波を受信し、時刻修正を行う際の受信状態を表示している。
【０００８】
機能表示部３４の記載、つまり電波受信感度表示部の表示は次の通りである。ＲＸは時刻修正電波を受信中であることを示しており、Ｌは電波受信状態が下位（Ｌｏｗの頭文字）、Ｍは電波受信状態が中位（Ｍｉｄｄｌｅの頭文字）、Ｈは電波受信状態が上位（Ｈｉｇｈの頭文字）、ＮＯは受信不良をそれぞれ表す。
【０００９】
機能表示部３４は機能指示部３５の同心円上またはその近辺に記されており、時計に配設された電波受信モードボタン（図示せず）を押すことで、その都度機能表示部３４を機能指示部３５で指示し、現在の電波受信状態を表す。
【００１０】
図４を見れば明らかなように、機能表示部３４を小文字板として、機能指示部３５を副針として指示する場合、機能表示部３４は副針のサイズに対応する大きさにするため必然的に小面積になり、それに伴い、必然的に機能表示部３４に記される字面も小さくなってしまい、視認性に欠けてしまう。
【００１１】
また、機能指示部３５である副針が時刻指示部３１〜３３である時針、分針、秒針と干渉しないようにするため、軸方向の厚さの増加、つまり時計の総厚の増加を避けられず、時計のデザイン性、装飾性と言う点からも非常に不利である。
【００１２】
まとめると、上記のような従来の技術では、時刻とは別の機能表示を前記小文字板と前記副針により行っているが、時計の本質的な目的である時刻表示の認識を妨げないために小文字板、つまり機能表示部と副針、つまり機能指示部ともにサイズを大きくすることが出来ない。その結果として機能の認識、つまり機能表示の視認性には欠け、機能確認には不十分であると言った問題点があった。
【００１３】
また、副針、つまり機能指示部の運針が時針、分針、秒針、つまり各々の時刻指示部の運針と干渉しないようにするために、軸方向への厚みが必然的に増加し、結果として時計の総厚が増加することにより、装飾性を重視する時計においてはデザイン上制約されてしまい、問題があった。
【００１４】
（従来例２）
図５はレジスターリング４４上に機能表示部４５、４６が記されており、時刻指示部４１が機能指示部を兼ねている。４１から４３は時計用指針であり、４１は時刻指示部で秒を、４２は時刻指示部で分を、４３は時刻指示部で時を表す。
【００１５】
時刻指示部４１から４３は軸取り付け部４７の同軸上に取り付けられており、それぞれが連動して文字板４８上の外周に表示された時刻表示部４９ａから４９ｄ等を指示して時刻表示を行っている。
【００１６】
機能表示部４５にはＬ、Ｍ、Ｈ、ＲＸ、ＮＯの記載があるが、これらは時計に配設されているアンテナ（図示せず）から時刻修正電波を受信し、時刻修正を行う際の受信状態を表示している。機能表示部４５の記載、つまり電波受信感度表示部の説明については、図４と同様であるため省略する。
【００１７】
機能表示部４５は、時計に配設された電波受信モードボタン（図示せず）を押すことで、その都度機能表示部４５を機能指示部を兼ねている時刻指示部４１で指示し、現在の電波受信状態を表す。
【００１８】
また、図５にはレジスターリング４４上に別の機能表示部４６としてＯＫ、ＳＴＯＰ、ＣＨＡＲＧＥの記載があるが、これらは、電源（太陽光発電および自動巻発電も含む）の残量状態（警告表示）を表しており、やはり時刻指示部４１が機能指示部を兼ねている。
【００１９】
機能表示部４６の記載、つまり電源残量表示部の表示は次の通りである。ＯＫは電源の残量が十分である、ＳＴＯＰは電源の残量がゼロなので運針が停止した（停止警告表示）、ＣＨＡＲＧＥは電源の残量がわずかなので充電した方が良い（充電警告表示）、ということを表している。時計に配設された電源残量表示モードボタン（図示せず）を押すことで、その都度機能表示部４６を機能指示部を兼ねている時刻指示部４１で指示し、電源の残量状態（警告表示）を表す。なお、ＳＴＯＰは電源の残量がゼロになる直前に自動的に指示する。
【００２０】
機能表示部４５、４６は共に機能指示部を兼ねている時刻指示部４１の仮想延長線上で確認しなければならず、視認性が極めて低い。また、時刻と機能を誤認する可能性が極めて高い。そして、レジスターリング上での機能表示は、レジスターリングの面積に依存するため、表示範囲が限定されてしまい、この点からも視認性が低いと言える。
【００２１】
さらに、機能表示部４５、４６は時計の最外部に位置するため、蓄光塗料等を塗布しても使用している内に剥がれてしまい、長期的信頼性においては不安が拭えず、蓄光塗料等で塗布を行わないことが多々ある。したがって、夜間や暗所においては機能表示部の確認を行うことが極めて困難である。
【００２２】
また、今回の例では、時刻指示部として秒針を使用したが、これが分針や時針を使用した場合、針の長さを考慮すると、秒針が機能指示部を兼任する場合よりも仮想延長線を長くしなければならず、状態の確認がより困難になり、かつ、時刻と機能の誤認の可能性も高くなる。
【００２３】
さらにまた、レジスターリング上に時刻指示部や機能指示部で指示しない機能表示部を設ける場合にも問題がある。
例えば、レジスターリング上で航空計算尺等の機能を表示する場合、航空計算尺とその他、例えば電波受信状態機能との棲み分けによる表示がレジスターリングの面積上では極めて困難であり、行った場合も視認性が非常に問題であると言える。
【００２４】
まとめると、レジスターリング上で機能表示を行う場合、時刻指示部が時刻表示部の指示と共に機能表示部の指示を兼任していたため、レジスターリング上の機能表示部は時刻指示部の仮想延長線上で認識しなければならず、機能の認識、つまり視認性に欠け、かつレジスターリング上では機能表示部の表示面積は容易に限界に達し、機能表示範囲が限定されていた。
【００２５】
【特許文献１】
実用新案登録２６０１２２５号公報
【特許文献２】
実開昭６３−１０７８８４号公報
【００２６】
【発明が解決しようとする課題】
以上の説明で明らかなように、現在、時刻表示と共に時刻表示とは別の機能表示を行う場合、時刻表示、機能表示の両視認性を満足し、デザイン上の制約を受けない時計ならびに時計用指針と時計用指針による表示方法は存在しなかった。
【００２７】
本発明では、上記課題である時刻、機能の両視認性を満足し、かつ、デザイン上の制約を受けない時計ならびに時計用指針と時計用指針による表示方法を提供することを目的とする。
【００２８】
【課題を解決するための手段】
上記課題を解決するために、本発明の時計ならびに時計用指針と時計用指針による表示方法は、下記記載の構成を採用する。
【００２９】
本発明に係る時計は、文字板上を時計用指針が運針して時刻を表示する時計において、軸取り付け部を基点として一方に時刻指示部を、水平方向に対向する他方に機能指示部を設けた時計用指針を少なくとも１本有することを特徴とする。
【００３０】
また、前記時計用指針の前記軸取り付け部を基点とした長手方向の長さは、機能指示部が時刻指示部よりも短い。
【００３１】
さらに、文字板または風防ガラスに表示された機能表示部を前記機能指示部で指示する。
【００３２】
本発明に係る時計は、文字板または風防ガラスに表示された機能表示部が、時計に配設されたアンテナで受信した時刻修正電波を表示する電波受信感度表示部であり、前記電波受信感度表示部を前記機能指示部で指示することを特徴とする。
【００３３】
本発明に係る時計は、文字板または風防ガラスに表示された機能表示部が、電源の残量状態を表示する電源残量表示部であり、前記電源残量表示部を前記機能指示部で指示することを特徴とする。
【００３４】
本発明に係る時計用指針は、文字板上を時計用指針が運針して時刻を表示する時計において、軸取り付け部を基点として、一方に時刻指示部を、水平方向に対向する他方に機能指示部を設けたことを特徴とする。
【００３５】
また、前記軸取り付け部を基点とした長手方向の長さは、機能指示部が時刻指示部よりも短い。
【００３６】
さらに、文字板または風防ガラスに表示された機能表示部を前記機能指示部で指示する。
【００３７】
本発明に係る時計用指針は、文字板または風防ガラスに表示された機能表示部が、時計に配設されたアンテナで受信した時刻修正電波を表示する電波受信感度表示部であり、前記電波受信感度表示部を前記機能指示部で指示することを特徴とする。
【００３８】
本発明に係る時計用指針は、文字板または風防ガラスに表示された機能表示部が電源の残量状態を表示する電源残量表示部であり、前記電源残量表示部を前記機能指示部で指示することを特徴とする。
【００３９】
本発明に係る時計用指針による表示方法は、文字板上を時計用指針が運針して時刻を表示する時計用指針による表示方法において、軸取り付け部を基点として一方に設けた時刻指示部で時刻表示部を指示し、前記時刻指示部と水平方向に対向する他方に設けた機能指示部で機能表示部を指示することを特徴とする。
【００４０】
また、文字板または風防ガラスに表示された機能表示部を、前記軸取り付け部を基点とした長手方向の長さが時刻指示部よりも短い機能指示部で指示する。
【００４１】
本発明に係る時計用指針による表示方法は、文字板または風防ガラスに表示された機能表示部が、時計に配設されたアンテナで受信した時刻修正電波を表示する電波受信感度表示部であり、前記電波受信感度表示部を前記機能指示部で指示することを特徴とする。
【００４２】
本発明に係る時計用指針による表示方法は、文字板または風防ガラスに表示された機能表示部が電源の残量状態を表示する電源残量表示部であり、前記電源残量表示部を前記機能指示部で指示することを特徴とする。
【００４３】
【発明の実施の形態】
以下に、本発明に係る実施の形態を実施例により説明する。
【００４４】
（実施例１）
図２は本発明の時計用指針を示す斜視図である。１は時計用指針、２は時刻指示部、３は機能指示部、４は軸取り付け部を示す。時計用指針１は時刻指示部２と機能指示部３と軸取り付け部４とからなっており、軸取り付け部４を基点として時刻指示部２と機能指示部３が水平方向に対向している。軸取り付け部４は、ムーブメント（図示せず）の軸よりわずかに径小の貫通孔、めくら孔となっている。
【００４５】
また、軸取り付け部４を基点とする機能指示部３と時刻指示部２の長さは、長手方向に対して機能指示部３が短くなっている。
【００４６】
（実施例２）
図１は本発明の時計用指針を組み込んだ時計の一部を示す正面図である。１１から１３は時計用指針であり、１１は時刻指示部で秒を、１２は時刻指示部で分を、１３は時刻指示部で時を表す。１４は機能指示部、１５は機能表示部、１６は文字板、１７は軸取り付け部である。機能表示部１５は文字板１６上に表示され、機能指示部１４は軸取り付け部１７を基点として時刻指示部１１と水平方向に対向している。
【００４７】
また、軸取り付け部１７を基点とする機能指示部１４と時刻指示部１１の長さは、長手方向に対して機能指示部１４が短くなっている。
【００４８】
時刻指示部１１から１３は軸取り付け部１７の同軸上に取り付けられており、それぞれが連動して文字板１６上の外周に表示された時刻表示部１８ａから１８ｄ等を指示して時刻表示を行っている。
【００４９】
機能表示部１５にはＬ、Ｍ、Ｈ、ＲＸ、ＮＯの記載があるが、これらは時計に配設されているアンテナ（図示せず）から時刻修正電波を受信し、時刻修正を行う際の受信状態を表示している。機能表示部１５の記載、つまり電波受信感度表示部の説明については、図４と同様であるため省略する。
【００５０】
機能表示部１５は機能指示部１４の同心円上またはその付近に記されており、時計に配設された電波受信モードボタン（図示せず）を押すことで、その都度機能表示部１５を機能指示部１４で指示し、現在の電波受信状態を表す。
【００５１】
本発明の場合、従来例である図４のように、機能表示部は、文字板上に新たに別途小文字板を配設せずに既存の文字板上でそのまま表示するため、機能表示部の文字を大きくすることができ、視認性という面から非常に優れていると言える。
【００５２】
さらに、時計用指針とは別の機能指示部（副針）を必要としないため、時刻指示部（時針、分針、秒針）との干渉から起こる軸方向の厚さの増加、つまり時計総厚の増加に起因する、時計のデザイン上の制約も回避できると言える。
【００５３】
また、レジスターリング上に時刻指示部や機能指示部で指示する機能表示部を設けないため、時刻指示部が機能指示部を兼任せずにすみ、従来例である図５のように機能表示部を機能指示部兼時刻指示部の仮想延長線上で指示することもないため、視認性に優れている。
【００５４】
さらに、図５のようなレジスターリング上の機能表示部は、時計本体の最外面にくるために、機能表示部に蓄光塗料等を塗布しても剥がれてしまい、長期的信頼性という面では問題であった。
本発明においては、機能表示部は文字板上に存在するため、機能指示部はもちろん機能表示部にも蓄光塗料等を塗布することが可能で、夜間や暗所においても機能確認を容易に行うことが可能である。なおかつ時計ケース内に配設された文字板上への塗布であるから、長期的信頼性という面でも信頼性が大幅に向上する。
【００５５】
さらにまた、レジスターリング上に時刻指示部や機能指示部で指示しない機能表示部を設ける場合、例えば、航空計算尺等の機能を表示する場合、レジスターリング上では航空計算尺とその他、例えば電波受信状態機能との棲み分けによる表示を行わずにすむため、この点からも視認性が非常に優れていると言える。
【００５６】
なお、本実施例では、機能表示部と機能指示部を電波時計における電波受信状態の指示として説明したが、方位表示、カレンダー表示、モード表示、２４時間表示等であっても何ら問題はない。また、電波時計においても、本実施例で説明した以外の機能表示（例えばＳＥＴ等）を表示しても何ら問題ない。
【００５７】
なおまた、機能表示部は文字板の半径内であればどこにでも表示することが可能であり、機能指示部の長手方向の長さは、機能表示部に対応させれば良い。
【００５８】
さらに、本実施例では文字板に表示した機能表示部について説明したが、風防ガラスの上面や下面に機能表示部を表示しても何ら問題ない。
【００５９】
（実施例３）
図３は本発明の時計用指針を組み込んだ時計の一部を示す正面図である。２１から２３は時計用指針で、２１は時刻指示部で秒を、２２は時刻指示部で分を、２３は時刻指示部で時を表す。２４、２５は機能指示部、２６、２７は機能表示部、２８は文字板、２９は軸取り付け部である。
【００６０】
機能表示部２６は文字板２８上に表示され、機能指示部２４は軸取り付け部２９を基点として時刻指示部２３と水平方向に対向している。
【００６１】
同様に、機能表示部２７も文字板２８上に表示され、機能指示部２５は軸取り付け部２９を基点として時刻指示部２１と水平方向に対向している。
【００６２】
また、軸取り付け部２９を基点とする機能指示部２４と時刻指示部２３の長さは、長手方向に対して機能指示部２４が短くなっている。
【００６３】
同様に、軸取り付け部２９を基点とする機能指示部２５と時刻指示部２１の長さは、長手方向に対して機能指示部２５が短くなっている。
【００６４】
時刻指示部２１から２３は軸取り付け部２９の同軸上に取り付けられており、それぞれが連動して文字板２８上の外周に表示された時刻表示部３０ａから３０ｄ等を指示して時刻表示を行っている。
【００６５】
機能表示部２６にはＬ、Ｍ、Ｈ、ＲＸ、ＮＯの記載があるが、これらは時計に配設されているアンテナ（図示せず）から時刻修正電波を受信し、時刻修正を行う際の受信状態を表示している。機能表示部２６の記載、つまり電波受信感度表示部の説明については、図４と同様であるため省略する。
【００６６】
機能表示部２６は機能指示部２４の同心円上またはその付近に記されており、時計に配設された電波受信モードボタン（図示せず）を押すことで、その都度機能表示部２６を機能指示部２４で指示し、現在の電波受信状態を表す。
【００６７】
機能表示部２７にはＯＫ、ＳＴＯＰ、ＣＨＡＲＧＥの記載があるが、これらは電源（太陽光発電および自動巻発電等も含む）の残量状態（警告表示）を表している。機能表示部２７の記載、つまり電源残量表示部の説明については、図５と同様であるため省略する。
【００６８】
時計に配設された電源残量表示モードボタン（図示せず）を押すことで、その都度機能表示部２７を、機能指示部２５で指示し、電源の残量状態（警告表示）を表す。
【００６９】
本発明の場合、従来例である図４のように、機能表示部として文字板上に新たに別途小文字板を配設せずに既存の文字板上でそのまま表示するため、機能表示部の文字を大きくすることができ、視認性という面から非常に優れていると言える。
【００７０】
さらに、時計用指針とは別の機能指示部（副針）を必要としないため、時刻指示部（時針、分針、秒針）との干渉から起こる軸方向の厚さの増加、つまり時計総厚の増加に起因する、時計のデザイン上の制約も回避できると言える。本実施例では、機能表示部を二ヶ所別々に表示しているため、前記実施例２よりもデザイン性、装飾性に対する効果は顕著である。
【００７１】
また、レジスターリング上に時刻指示部や機能指示部で指示する機能表示部を設けないため、時刻指示部が機能指示部を兼任せずにすみ、従来例である図５のように機能表示部を機能指示部兼時刻指示部の仮想延長線上で指示することもないため、視認性に優れている。
【００７２】
さらに、図５のようなレジスターリング上の機能表示部は、時計本体の最外面にくるために、機能表示部に蓄光塗料等を塗布しても剥がれてしまい、長期的信頼性という面では問題であった。
本発明においては、機能表示部は文字板上に存在するため、機能指示部はもちろん機能表示部にも蓄光塗料等を塗布することが可能で、夜間や暗所においても機能確認を容易に行うことが可能である。なおかつ時計ケース内に配設された文字板上への塗布であるから、長期的信頼性という面でも信頼性が大幅に向上する。
【００７３】
さらにまた、レジスターリング上に時刻指示部や機能指示部で指示しない機能表示部を設ける場合、例えば、航空計算尺等の機能を表示する場合、レジスターリング上では航空計算尺とその他、例えば電波受信状態機能との棲み分けによる表示を行わずにすむため、この点からも視認性が非常に優れていると言える。
【００７４】
なお、本実施例では機能表示部と機能指示部を、電波時計における電波受信状態の指示及び電源の残量状態の指示として説明したが、方位表示、カレンダー表示、モード表示、２４時間表示等であっても何ら問題はない。また、電波時計においても、本実施例で説明した以外の機能表示（例えばＳＥＴ等）を表示しても何ら問題ない。
【００７５】
なおまた、機能表示部は文字板の半径内であればどこにでも表示することが可能であり、機能指示部の長手方向の長さは、機能表示部に対応させれば良い。
【００７６】
さらに、本実施例では文字板に表示した機能表示部について説明したが、風防ガラスの上面や下面に機能表示部を表示しても何ら問題ない。
【００７７】
【発明の効果】
以上の説明から明らかなように、本発明によれば、時刻表示と機能表示の区別を明確にすることができ、かつ機能表示に使用する文字を従来と比べて大きくできるため、視認性が非常に優れていると言える。また、副針を使用しないため、時計総厚の増加に起因する、デザイン上の制約も回避できると言える。
【図面の簡単な説明】
【図１】本発明の実施例２における時計の一部の正面図である。
【図２】本発明の実施例１における時計用指針の斜視図である。
【図３】本発明の実施例３における時計の一部の正面図である。
【図４】従来例１の時計の一部の正面図である。
【図５】従来例２の時計の一部の正面図である。
【符号の説明】
１  時計用指針
２、１１から１３、２１から２３、３１から３３、４１から４３  時計指示部
３、１４、２４、２５、３５  機能指示部
４、１７、２９、３８、４７  軸取り付け部
１５、２６、２７、３４、４５、４６  機能表示部
１６、２８、３６、４８  文字板
１８ａから１８ｄ、３０ａから３０ｄ  時計表示部
３７ａから３７ｄ、４９ａから４９ｄ  時計表示部
４４  レジスターリング
【図１】
2004226350.tif 000003
【図２】
2004226350.tif 000004
【図３】
2004226350.tif 000005
【図４】
2004226350.tif 000006
【図５】
2004226350.tif 000007